【手続補正書】
【提出日】平成26年4月23日(2014.4.23)
【手続補正１】
【補正対象書類名】特許請求の範囲
【補正対象項目名】全文
【補正方法】変更
【補正の内容】
【特許請求の範囲】
【請求項１】
ビデオフレームのタイムシーケンスを有するデジタルビデオのためのビデオサマリーを形成する方法であって、前記方法は：
コンピューターデバイスによって、前記デジタルビデオに対する一式のビデオフレームを決定するステップと；
前記コンピューターデバイスによって、前記一式のビデオフレームをランク付けするステップと；
前記コンピューターデバイスによって、既定の一式の基準に従って最高位にランクされた一つまたはそれ以上の主要ビデオフレームに応じたビデオスニペットを形成するステップであり、前記既定の一式の基準は、前記ビデオサマリーの全持続時間を指定する基準および前記ビデオスニペットそれぞれの最小持続時間を指定する基準を有するステップと：
前記コンピューターデバイスによって、前記ビデオサマリーを形成するために前記ビデオスニペットを組み立てるステップと；
前記コンピューターデバイスによって、前記ビデオサマリーの表現をメモリーの中に保存するステップと；
一つのビデオスニペットを形成するために、所定の閾値より小さな時間インターバルによって分離される最高位にランクされたビデオフレームに応じてビデオスニペットをマージするステップと、を含む、
ことを特徴とするビデオサマリーを形成する方法。
【請求項２】
前記方法は、さらに、
時間の関数としてオーディオ活動レベルを決定するために、前記デジタルビデオを解析するステップと、を含み、
前記ビデオスニペットのうち少なくとも一つに対する開始および終了時間が、オーディオ活動の２つのレベルに対応する開始および終了時間の選択を促進する基準に応じて決定される、
請求項１に記載のビデオサマリーを形成する方法。
【請求項３】
それぞれの最高位にランクされたビデオフレームは、一つのビデオスニペット含まれる、
請求項１に記載のビデオサマリーを形成する方法。
【請求項４】
前記方法は、さらに、
時間の関数として重要値を決定するために、前記デジタルビデオを解析するステップと、を含み、
前記ビデオスニペットのうち少なくとも一つに対する開始および終了時間が、高い重要値を有するビデオフレームを包含することを基準に応じて決定される、
請求項１に記載のビデオサマリーを形成する方法。
【請求項５】
前記ビデオスニペットの形成は、
類似のコンテンツを有するビデオスニペットの前記形成を促進する基準に従って、前記ビデオスニペットを形成するステップを含む、
請求項１に記載のビデオサマリーを形成する方法。
【請求項６】
前記ビデオサマリーの前記全持続時間は、ユーザーが指定する、
請求項１に記載のビデオサマリーを形成する方法。
【請求項７】
前記デジタルビデオに対する一式のビデオフレームを決定する前記ステップは、
時間の関数として重要値を決定するために、前記デジタルビデオを解析する段階と；
時間の関数としての前記重要値に応じて、前記ビデオフレームを一時的に再配置することにより、ワープタイム表現を形成する段階と；
前記ワープタイム表現を一式の等しいインターバルに細分化する段階と；
それぞれのインターバルの中で前記ビデオフレームを解析することによって、それぞれのインターバルに対するビデオフレームを選択する段階、とを含む、
請求項１に記載のビデオサマリーを形成する方法。
【請求項８】
既定の基準に応じて前記ビデオフレームをランク付けする前記ステップは、
カメラ固定パターンを決定するために前記デジタルビデオを解析する段階と；
前記カメラ固定パターンに応じて、前記ビデオフレームをランク付けする段階と、
を含む、請求項１に記載のビデオサマリーを形成する方法。
【請求項９】
デジタルビデオカメラシステムであって：
イメージセンサーと；
前記イメージセンサー上にシーンのイメージを形成するように構成されている光学システムと；
データ処理システムと；
前記データ処理システムと通信可能に接続され、デジタルビデオに対するビデオサマリーを形成するための方法を前記データ処理システムが実行するように構成された命令を保管するメモリーシステムと、を含み、
前記命令は：
前記イメージセンサーを使用してデジタルビデオをキャプチャーし、前記デジタルビデオはビデオフレームのタイムシーケンスを有していること；
前記デジタルビデオに対する一式のビデオフレームを決定すること；
前記ビデオフレームをランク付けすること；
既定の一式の基準に従って、一つまたはそれ以上の最高位にランクされたビデオフレームに応じてビデオスニペットを形成することであり、前記既定の一式の基準は、ビデオサマリーに対して全持続時間を指定する基準および前記ビデオスニペットのそれぞれに対して最小限の持続時間を指定する基準を含んでいること；
前記ビデオサマリーを形成するように前記ビデオスニペットを組み立てること；
前記ビデオサマリーの表現をメモリーの中に保管すること、および、
一つのビデオスニペットを形成するために、所定の閾値より小さな時間インターバルによって分離される最高位にランクされたビデオフレームに応じてビデオスニペットをマージすること、を含む、
ことを特徴とするデジタルビデオカメラシステム。
【請求項１０】
ビデオフレームのタイムシーケンスを有するデジタルビデオのためのビデオサマリーを形成する方法であって、前記方法は：
コンピューターデバイスによって、前記デジタルビデオに対する一式のビデオフレームを決定するステップと；
前記コンピューターデバイスによって、前記ビデオフレームをランク付けするステップと；
前記コンピューターデバイスによって、既定の一式の基準に従って一つまたはそれ以上の最高位にランクされたビデオフレームに応じたビデオスニペットを形成するステップであり、
前記既定の一式の基準は、前記ビデオサマリーの全持続時間を指定する基準および前記ビデオスニペットそれぞれの最小持続時間を指定する基準を有し、
前記ビデオスニペットを形成するステップは、一つのビデオスニペットを形成するために、所定の閾値より小さな時間インターバルによって分離される最高位にランクされたビデオフレームに応じてビデオスニペットをマージする段階を含むステップと：
前記コンピューターデバイスによって、前記ビデオサマリーを形成するために前記ビデオスニペットを組み立てるステップと；
前記コンピューターデバイスによって、前記ビデオサマリーの表現をメモリーの中に保存するステップと、を含む、
ことを特徴とするビデオサマリーを形成する方法。
【請求項１１】
ビデオフレームのタイムシーケンスを有するデジタルビデオのためのビデオサマリーを形成する方法であって、前記方法は：
コンピューターデバイスによって、前記デジタルビデオに対する一式のビデオフレームを決定するステップであり、
前記決定するステップは；
時間の関数として重要値を決定するために、前記デジタルビデオを解析する段階と；
時間の関数としての前記重要値に応じて、前記一式のビデオフレームを一時的に再配置することにより、ワープタイム表現を形成する段階と；
前記ワープタイム表現を一式の等しいインターバルに細分化する段階と；
それぞれのインターバルの中で前記ビデオフレームを解析することによって、それぞれのインターバルに対するビデオフレームを選択する段階、とを含むステップと；
前記コンピューターデバイスによって、前記ビデオフレームをランク付けするステップと；
前記コンピューターデバイスによって、既定の一式の基準に従って一つまたはそれ以上の最高位にランクされたビデオフレームに応じてビデオスニペットを形成するステップであり、
前記既定の一式の基準は、前記ビデオサマリーの全持続時間を指定する基準および前記ビデオスニペットそれぞれの最小持続時間を指定する基準を有するステップと；
前記コンピューターデバイスによって、前記ビデオサマリーを形成するために前記ビデオスニペットを組み立てるステップと；
前記コンピューターデバイスによって、前記ビデオサマリーの表現をメモリーの中に保存するステップと、を含む、
ことを特徴とするビデオサマリーを形成する方法。
【請求項１２】
前記ビデオスニペットは、ビデオフレームのエンコードグループの最初でビデオスニペットを開始し、前記ビデオフレームの前記エンコードグループの最後でビデオスニペットを終了することを奨励する基準に従って形成され、
前記ビデオフレームの前記エンコードグループは、独立してエンコードされたビデオフレームと複数の予測的にエンコードされたビデオフレームを含む、
請求項１に記載のビデオサマリーを形成する方法。
【請求項１３】
前記方法は、さらに、
それぞれのビデオフレームを、ズームビデオフレーム、高速パンビデオフレーム、非活動ビデオフレーム、または、興味ビデオフレームとして分類するステップと、を含み、
前記ズームビデオフレーム、前記高速パンビデオフレーム、前記非活動ビデオフレーム、または、前記興味ビデオフレームは、異なるランク付けスコアを有する、
請求項１に記載のビデオサマリーを形成する方法。
【請求項１４】
前記ズームビデオフレームは、前記ビデオフレームがキャプチャーされている間に、カメラがズームイン又はズームアウトしているビデオフレームを含んでおり、
前記高速パンビデオフレームは、閾値を超えるグローバル並進運動モーションの大きさを有するビデオフレームを含んでおり、
前記非活動ビデオフレームは、閾値の下のグローバル並進運動モーションの大きさを有するビデオフレームを含んでおり、かつ、
前記興味ビデオフレームは、前記ズームビデオフレーム、前記高速パンビデオフレーム、または、前記非活動ビデオフレームとして分類されない全てのビデオフレームを含んでいる、
請求項１３に記載の方法。
【請求項１５】
前記メモリーシステムは、さらに、
一つのビデオスニペットを形成するために、所定の閾値より小さな時間インターバルによって分離される最高位にランクされたビデオフレームに応じてビデオスニペットをマージするインストラクションを保管する、
請求項９に記載のデジタルビデオカメラシステム。
【請求項１６】
前記デジタルビデオに対する一式のビデオフレームを決定する前記命令は：
時間の関数として重要値を決定するために、前記デジタルビデオを解析する命令と；
時間の関数としての前記重要値に応じて、前記ビデオフレームを一時的に再配置することにより、ワープタイム表現を形成する命令と；
前記ワープタイム表現を一式の等しいインターバルに細分化する命令と；
それぞれのインターバルの中で前記ビデオフレームを解析することによって、それぞれのインターバルに対するビデオフレームを選択する命令、とを含む、
請求項９に記載のデジタルビデオカメラシステム。